(57)【要約】凝縮水自動排水装置は、凝縮水を集める集水タンクと、凝縮水の水位に従って上昇／下降する浮具と、体積変化可能な充水筒、および入口に設けられて充水空間への水の流入のみを許容する逆止弁からなり、前記集水タンクの底部に位置し、前記凝縮水の水位上昇に従って浮き上がる浮具によって充水空間が縮小されることにより内部の凝縮水を加圧する加圧充水器と、入口は加圧充水器に連結され、出口は入口より低いレベルに位置するように室外に設けられることにより、圧縮された加圧充水器加から排出された凝縮水で充填されるときに外部に凝縮水を自然排出させるサイフォン管と、を含む。
2009532653.tif 000002
【特許請求の範囲】
【請求項１】
エアコンまたは除湿器から発生する凝縮水の自動排水装置であって、
凝縮水を集水する集水タンクと、
前記凝縮水の表面上に浮遊し、前記凝縮水の水位に従って上昇／下降する浮具と、
体積変化可能な充水空間を持つ中空体および入口に設けられて充水空間への水の流入のみを許容する逆止弁からなり、前記集水タンクの底部に位置し、前記凝縮水の水位上昇に従って浮き上がる浮具によって充水空間が縮小されることにより内部の凝縮水を加圧する加圧充水器と、
入口は前記加圧充水器に連結されて前記加圧充水器の出口として機能し、出口は該入口より低いレベルに位置するように室外に設けられることにより、前記加圧充水器によって凝縮水で充填されるときに前記集水タンク内の凝縮水を外部へ自然排出させるサイフォン管とを含むことを特徴とする、凝縮水自動排水装置。
【請求項２】
前記浮具の中央に組立孔が垂直に設けられ、前記加圧充水器が前記浮具の前記組立孔に移動可能に結合し、
前記浮具の浮き上がりに応じて前記加圧充水器が前記浮具の下方に引き出された後、牽引されるように案内するスライド牽引手段と、
前記集水タンクの天井に垂設され、前記浮具に牽引されて上昇する前記加圧充水器を押圧することにより、その充水空間の体積を縮小させるプッシュロッドと、
をさらに含むことを特徴とする、請求項１に記載の凝縮水自動排水装置。
【請求項３】
前記加圧充水器は、
内部に充水空間を有する伸縮可能な柔軟な充水筒と、
前記充水筒の下端に固定されるベースと、
前記プッシュロッドの下部で前記浮具の昇降に応じて充水筒を伸縮させる伸縮手段と、
からなることを特徴とする、請求項２に記載の凝縮水自動排水装置。
【請求項４】
前記伸縮手段は、
前記充水筒の内部に結合して前記充水筒を伸張方向に弾性復帰させる圧縮コイルバネと、
前記浮具の組立孔の中間から突出して前記充水筒の上端縁に接触する押圧突起と、
からなることを特徴とする、請求項３に記載の凝縮水自動排水装置。
【請求項５】
前記伸縮手段は、
外周に係止溝を有し、前記充水筒の上端に付着するヘッドと、
前記浮具の組立孔の中間から一定の角度の間隔で突出して前記浮具の昇降に応じて前記ヘッドの係止溝に弾性的に結合および解除される複数のバネホルダーと、
からなることを特徴とする、請求項３に記載の凝縮水自動排水装置。
【請求項６】
前記加圧充水器は、
凝縮水より小さい比重を有し、伸縮可能な柔軟な充水筒と、
前記充水筒の下端に固定される凝縮水より大きい比重のベースと、
前記浮具の組立孔の中間から突出して前記充水筒の上端縁に接触する押圧突起と、
からなることを特徴とする、請求項２に記載の凝縮水自動排水装置。
【請求項７】
前記充水筒の上端に、空気の流通は許容し且つ凝縮水の排出は遮断する第２逆止弁がさらに備えられたことを特徴とする、請求項４〜６のいずれかに記載の凝縮水自動排水装置。
【請求項８】
前記圧縮コイルバネは前記充水筒にインサート成形されることを特徴とする、請求項４に記載の凝縮水自動排水装置。
【請求項９】
前記充水筒はベローズ管から構成されることを特徴とする、請求項３〜５のいずれかに記載の凝縮水自動排水装置。
【請求項１０】
前記スライド牽引手段は、
前記浮具の組立孔に軸方向に設けられ、下端が塞げられて係止リムを形成する複数の案内溝と、
前記充水筒の周りに位置するように前記ベース上に垂直に設置され、上端に前記浮具の各案内溝に移動可能に挿入される案内突起を有する複数のサポーターと、
からなることを特徴とする、請求項３〜６のいずれかに記載の凝縮水自動排水装置。
【請求項１１】
前記浮具の押圧突起または前記バネホルダーと前記案内溝とが円周方向に沿って交互に配置されることを特徴とする、請求項１０に記載の凝縮水自動排水装置。
【請求項１２】
前記加圧充水器は、
下端部の周りに前記逆止弁を有し、前記サイフォン管の入口側に連結されるシリンダと、
前記シリンダ内に結合して昇降するピストンと、前記ピストンに固定されて上方に延長され、上端にフランジを有するピストンロッドと、
からなり、
前記浮具の組立孔の上端には、前記浮具の昇降に応じて前記ピストンロッドのフランジを弾性的に把持および解除する複数のバネホルダーを備えることを特徴とする、請求項１に記載の凝縮水自動排水装置。
【請求項１３】
前記スライド牽引手段は、
前記浮具の組立孔に軸方向に設けられ、下端が塞げられて係止リムを形成する複数の案内溝と、
前記シリンダの外周の上端から突出し、前記各案内溝に移動可能に挿入される複数の案内突起と、
からなることを特徴とする、請求項１２に記載の凝縮水自動排水装置。
【請求項１４】
前記加圧充水器は、
内部に充水空間を有し、前記集水タンクの底部に水平に設置され、伸張方向に弾性復元性を有する柔軟な充水筒と、
前記充水筒の一端に設置され、前記集水タンクの底部に固定されるベースと、
前記充水筒が前記浮具の上昇によって圧縮できるように前記充水筒の自由端と前記浮具を所定の経路に沿って連結するワイヤーと、
からなることを特徴とする、請求項１に記載の凝縮水自動排水装置。
【請求項１５】
前記加圧充水器の充水筒はベローズ板から構成されることを特徴とする、請求項１４に記載の凝縮水自動排水装置。
【請求項１６】
前記加圧充水器は、
内部に充水空間を有し、前記集水タンクの底部に水平に設置されるシリンダと、
前記シリンダ内に結合して充水空間の拡張方向に弾性復元性を有するピストンと、
前記充水空間が前記浮具の上昇によって圧縮できるように前記ピストンと前記浮具を所定の経路に沿って連結するワイヤーと、
からなることを特徴とする、請求項１に記載の凝縮水自動排水装置。
【請求項１７】
前記集水タンクの底部の付近で凝縮水が前記サイフォン管に直接流入するように、前記サイフォン管に第３逆止弁からなる補助入口がさらに備えられることを特徴とする、請求項１に記載の凝縮水自動排水装置。
【請求項１８】
前記集水タンク内に複数のガイドロッドを垂直に設けることにより、前記浮具が前記ガイドロッドに沿って昇降することを特徴とする、請求項１に記載の凝縮水自動排水装置。
【請求項１９】
前記集水タンクと同一のレベルに位置するように室外に設置され、上面に通気孔を有するサイフォン作用維持器をさらに備え、
前記サイフォン管は、
前記集水タンクに入口が収容され、出口が前記サイフォン作用維持器の上部からその内部に一定の深さだけ挿入される逆Ｕ字状の第１サイフォン管と、
入口が前記第１サイフォンの出口より高いレベルに位置するように前記サイフォン作用維持器の下部からその内部に挿入され、出口が前記第１サイフォンの入口より低いレベルに位置する第２サイフォンと、
から構成されることを特徴とする、請求項１に記載の凝縮水自動排水装置。
【請求項２０】
前記加圧充水器のベースには前記充水筒と連通する流路が設けられ、前記流路の入口には前記逆止弁が設置され、前記流路の出口には前記サイフォン管の入口が連結されることを特徴とする、請求項２、６または１４のいずれかに記載の凝縮水自動排水装置。
【発明の詳細な説明】
【技術分野】
【０００１】
本発明は、エアコンや除湿機などで生成される凝縮水を室外へ自動排水させる装置に係り、より詳しくは、生成された凝縮水の浮力によって凝縮水をポンピングしてサイフォン管に充填することにより、凝縮水を完全に無動力、無騒音で排出させることが可能な凝縮水自動排水装置に関する。
【背景技術】
【０００２】
周知の如く、エアコンは冷凍サイクルを用いて室内の温度を適切に維持させることに用いられる空気調節装置であって、一般家庭を始めとした社会全般にわたって広く用いられている。
【０００３】
冷凍サイクルは、低温・低圧の蒸気冷媒を圧縮機で高温・高圧のガスに圧縮させた後、凝縮器で外気との熱交換（すなわち、放熱）によって液化させ、液化した冷媒を再び低温・低圧で膨張させて蒸発器で内気との熱交換（すなわち、吸熱）で蒸発させることにより、室内空気を冷却して冷房作用を行う。
【０００４】
これにより、蒸発器の表面には空気中の水分と蒸発器との温度差によって飽和水蒸気圧が急激に低下することにより多量の凝縮水が発生するが、このような凝縮水は室内を汚染させるので、適切な処理が要求される。
【０００５】
従来では、凝縮水を別途の容器に受け取って一定量が集まると下水溝などに捨てる方法が通常用いられたが、この場合、凝縮水が容器から零れないように注意深く行わなければならないうえ、容器に集まった凝縮水を随時捨てなければならないという不便さがある。
【０００６】
近年では、エアコンのドレーンパンに排水管を連結してポンプによって強制排水する方法が一般に用いられているが、この方法は、凝縮水を簡便に排水させることはできるが、エアコンの作動中に排水ポンプが持続的に駆動されて室内機の騒音と電力消耗を増加させるという問題がある。
【０００７】
一方、韓国実用新案登録第０２３１６７４号には、大気圧を用いた冷房器の凝縮水自動排水装置が開示されている。この技術は、集水筒に上限線まで凝縮水が集まると、充水ポンプが一時作動してサイフォン管に水を充填してサイフォン作用を開始させた後、サイフォン管の出口に備えられた大気圧を用いた水位調節筒によってサイフォン作用が持続されるようにすることにより、凝縮水が無動力で自然排水されるように構成されている。
【０００８】
ところが、この技術は、エアコンの作動中に充水ポンプを一時的に１回のみ作動させるという利点はあるが、水位調節筒の設置が非常に難しくて正確な施工を期待することが難しいうえ、設置の後にもサイフォン管などに外力が加えられる場合、水位調節筒のレベルが所定の位置から外れてサイフォン作用が円滑になされないおそれが非常に大きい。特に、エアコンの作動中に只１回だけでもサイフォンに凝縮水を充填するために、必ず充水ポンプを備えなければならない。
【０００９】
また、韓国実用新案登録第０３２９４７７号と日本特開平１０−３３９４６５号には、水位センサーが集水タンク内の凝縮水の上限を感知して充水ポンプを間歇的に駆動させながらサイフォン作用によって排水させる技術が開示されているが、これらの技術は、設置上の利点を持つ代わりに、充水ポンプを間歇的に繰り返し駆動させなければならないため、騒音と電力消耗の面で不利であり、これらもサイフォンに対する凝縮水の充填のために充水ポンプを必ず備えなければならないという問題がある。
【００１０】
一方、このような凝縮水の排水問題は、エアコンに限定されず、例えば空気中の湿気を除去する除湿器の使用においてもその作動特性上必然的に伴われるしかない。よって、凝縮水を発生させる装置において、凝縮水の排水問題は最も重要な要素の一つである。
【発明の開示】
【発明が解決しようとする課題】
【００１１】
本発明は、上述した従来の諸般問題を解決するためのもので、その目的は、別途の充水ポンプと水位センサーを備えることなく、集水タンクの凝縮水の浮力によって凝縮水をポンピングしてサイフォン管に充填することにより、凝縮水を完全に無動力、無騒音で排出させることができる、凝縮水自動排水装置を提供することにある。
【課題を解決するための手段】
【００１２】
このような目的を達成するために、本発明に係る自動排水装置は、凝縮水を集水する集水タンクと、前記凝縮水の表面上に浮遊し、凝縮水の水位に従って上昇／下降する浮具と、体積変化可能な充水空間を持つ中空体、および入口に設けられて充水空間への水の流入のみを許容する逆止弁からなり、前記集水タンクの底部に位置し、前記凝縮水の水位上昇に従って浮き上がる浮具によって充水空間が縮小されることにより内部の凝縮水を加圧する加圧充水器と、入口は前記加圧充水器に連結されて加圧充水器の出口として機能し、出口は入口より低いレベルに位置するように室外に設けられることにより、前記加圧充水器によって凝縮水で充填されるときに前記集水タンク内の凝縮水を外部へ自然排出させるサイフォン管と、を含んでなることを特徴とする。
【００１３】
また、このような本発明の好適な一特徴によれば、自動排水装置は、浮具の中央に組立孔が垂直に設けられ、加圧充水器が浮具の組立孔に移動可能に結合し、浮具の浮き上がりに応じて加圧充水器が浮具の下方に引き出された後、牽引されるように案内するスライド牽引手段と、集水タンクの天井に垂設され、浮具に牽引されて上昇する加圧充水器を押圧することにより、その充水空間の体積を縮小させるプッシュロッドとをさらに含んでなる。
【００１４】
また、本発明の好適な他の特徴によれば、加圧充水器が、伸縮可能な柔軟な充水筒と、充水筒と連通しており、出口がサイフォン管に連結され且つ入口には逆止弁が設置される流路を有し、充水筒の下端に固定されるベースと、プッシュロッドの下部で浮具の昇降に応じて充水筒を伸縮させる伸縮手段とから構成される。
【００１５】
また、本発明の好適な別の特徴によれば、加圧充水器が、伸縮可能な柔軟な充水筒と、充水筒と連通しており、出口がサイフォン管に連結され且つ入口には逆止弁が設置される流路を有し、充水筒の下端に固定されるベースと、充水筒を伸長状態に維持させる圧縮コイルバネと、充水筒の上端に設置され、空気の流通は許容し且つ水の流出は防止する第２逆止弁とから構成される。
【００１６】
また、本発明の好適な別の特徴によれば、加圧充水器が、下端部の周りに逆止弁を有し、サイフォン管の入口側に連結されるシリンダと、空気の流通は許容し且つ水の流出は遮蔽する第２逆止弁を有し、シリンダ内に結合して昇降するピストンと、このピストンに固定されて上方に延長され、上端にフランジを有するピストンロッドとからなり、浮具の組立孔の上端に浮具の昇降に応じてピストンロッドのフランジを弾性的に把持および解除する複数のバネホルダーを共に備えて浮具の昇降によってピストンを作動させる。
【００１７】
また、本発明の好適な別の特徴によれば、加圧充水器が、内部に充水空間を有し、集水タンクの底部に水平に設置され、伸長方向に弾性復元性を有する柔軟な充水筒と、この充水筒の一端に設置され、集水タンクの底部に固定されるベースと、充水筒が浮具の上昇によって圧縮できるように充水筒の自由端と浮具を所定の経路に沿って連結するワイヤーとから構成される。
また、本発明の好適な別の特徴によれば、加圧充水器が、内部に充水空間を有し、充水筒タンクの底部に水平に設置されるシリンダと、シリンダ内に結合し、充水空間の拡張方向に弾性復元性を有するピストンと、充水空間が浮具の上昇によって圧縮できるようにピストンと浮具を所定の経路に沿って連結するワイヤーとから構成される。
【発明の効果】
【００１８】
本発明の凝縮水自動排水装置によれば、別途の充水ポンプと水位センサーを備えることなく、集水タンクの凝縮水をその浮力によって自動的にポンピングしてサイフォン管に充填することができるため、凝縮水を完全に無動力、無騒音で排出させることができるので、エアコンや除湿器などの信頼性、静粛性および使用の便宜性の向上などに大きい効果を発揮する。
【００１９】
したがって、本発明は、作動の際に凝縮水が発生する機器（例えば、エアコンまたは除湿器）の信頼性、静粛性および使用の便宜性の向上などに大きく寄与する非常に優れた効果がある。
【発明を実施するための最良の形態】
【００２０】
以下、添付図面を参照した好適な実施例によって本発明をさらに説明する。
【００２１】
図１〜図７は本発明に係る自動排水装置の第１実施例を示す。この自動排水装置は、例えばエアコン室内機（図示せず）の蒸発器から発生する凝縮水を集水する集水タンク１０と、この集水タンク１０に充填された凝縮水をサイフォン作用によって室外に排出させるサイフォン管２０と、中央に組立孔３１を有し、凝縮水の表面上に浮遊する浮具３０と、水と同じ比重を有し、浮具３０の組立孔３１に結合して凝縮水Ｗの流入によって浮き上がる浮具３０に従って上方に牽引されながら圧縮されることにより、内部に流入した凝縮水Ｗをサイフォン管２０に充填する加圧充水器４０と、浮具３０の浮き上がりによって加圧充水器４０が下方に引き出された後、牽引されるように案内するスライド牽引手段５０と、浮具３０に従って上昇する加圧充水器４０を押圧して圧縮させるプッシュロッド６０とを含んでなる。
【００２２】
集水タンク１０は、浮具３０が十分に浮き上がって上昇し得るように適切な深さを有し、上端の開口は蓋１１によって閉鎖される。このような集水タンク１０は、図３９および図４０に示すように、エアコン室内機Ｕｉの内部または外部の何処にも設置でき、例えば新規製作のエアコンには室内機Ｕｉの内部に設置することが好ましく、既に設置されているエアコンに採用する場合には室内機Ｕｉの外部に設置することが好ましい。
【００２３】
また、室内機Ｕｉの内部に設置する場合には、図４１に示すように、室内機Ｕｉの内部の下側を遮蔽して室内機Ｕｉの下部自体を集水タンク１０に使用することも可能である。
【００２４】
サイフォン管２０は、逆Ｕ字状に構成されて建物の壁Ｗａを乗り越えまたは貫通する。サイフォン管２０の入口２１は、室内に位置して集水タンク１０内に所定の深さだけ進入し、その出口２２は、サイフォン作用のために室外で入口２１より低いレベルに位置して例えば下水溝Ｇなどに進入することができる。このようなサイフォン管２０は、通常の硬質パイプから構成されてもよいが、好ましくは設置場所の構造的与件に応じて自由に構築することができるように適正の長さを持つフレキシブル管から構成される。
【００２５】
浮具３０は、様々な形で構成できるが、例えば水と同じ比重を持つ硬質の合成樹脂から構成されるが、少量の凝縮水Ｗにも十分に浮力を受けられるように中空からなることが好ましい。これは、浮具３０が凝縮水Ｗの流入と排水に応じて一律的に円滑に昇降し得るようにすると同時に、後述の如くサイフォン作用による凝縮水Ｗの排水によって下降するときにその自重で加圧充水器４０を圧縮させるためである。
【００２６】
浮具３０は、加圧充水器４０の設置のための組立孔３１をその中央に有する構成にしてもよい。集水タンク１０の内部に複数の垂直ガイド３２を共に備えて垂直ガイド３２に沿って昇降する。
【００２７】
このために、浮具３０の外周には各垂直ガイド３２が結合する複数の案内溝３３が一定の角度の間隔で設けられる。垂直ガイド３２は、集水タンク１０の底部および上部に両端が支持され、浮具３０の安定な昇降を誘導する。
【００２８】
加圧充水器４０は、内部に一定量の凝縮水が流入する充水空間４１ａを有する充水筒４１と、充水空間４１ａと連通する流路４３に第１逆止弁４４を有し、充水筒４１の下端に固定されるベース４２と、充水筒４１を伸長状態に維持させる圧縮コイルバネ４５と、充水筒４１の上端に設置され、空気の流通は許容し水の流出は防止する第２逆止弁４６とから構成される。
【００２９】
充水筒４１は、内部の充水空間４１ａに流入した凝縮水Ｗを加圧するために伸縮による体積変化を生ずることが可能であればいずれの形でも構わないので、例えば柔軟なビニルなどで構成されてもよいが、良好な体積変化のために図示の如く柔軟な合成樹脂製ベローズ管から構成されることが好ましい。そして、充水筒４１の上端にはプッシュロッド６０による円滑な圧縮のために硬質のヘッド４７を備え、このヘッド４７によって上端が閉鎖される。
【００３０】
ベース４２は、充水筒４１の充水空間４１ａに凝縮水Ｗが充填できるように水より大きい比重を持つことが好ましい。すなわち、加圧充水器４０が凝縮水Ｗの流入初期から浮具３０と共に浮き上がる場合、その充水空間４１ａに凝縮水Ｗが流入しないので、集水タンク１０に対する凝縮水Ｗの流入初期には、浮具３０のみが浮き上がり、加圧充水器４０はそのまま水中に沈むようにすることにより、その充水空間４１ａに凝縮水Ｗが充填されるようにする。
【００３１】
ベース４２の流路４３は、充水筒４１に凝縮水Ｗが流入できるようにその充水空間４１ａと連通する。流路４３の入口４３ａには充水空間４１ａへの凝縮水Ｗの流入のみを許容する第１逆止弁４４が設けられ、流路４３の出口４３ｂはサイフォン管２０の入口２１と連結される。
【００３２】
ここで、ベース４２の流路４３の出口４３ｂとサイフォン管２０との連結では、サイフォン管２０の入口側を長く延長してサイフォン管２０の入口２１をベース４２の流路４３の出口４３ｂに直接連結することもでき、或いは図７に示すように、サイフォン管２０の入口２１に、第１逆止弁４４の如くサイフォン管２０への凝縮水Ｗの流入のみを許容する第３逆止弁２３を備え、別途の連結管２４によって第３逆止弁２３の上側とベース４２の流路４３とを連結することもできる。
【００３３】
第１逆止弁４４は、別途の弁を流路４３に設置することもでき、図４に示すように、例えば流路４３の一部を拡張した後、これに弁球４４ａと複数の球支持ピン４４ｂを直接設置して構成することもできる。
【００３４】
圧縮コイルバネ４５は、浮具３０の自重によって充水筒４１が潰れるように浮具３０の自重より小さい弾性を有すると同時に、浮き上がる浮具３０によって潰れるように凝縮水Ｗによって浮具３０に作用する浮力よりも小さい弾性を持つ。
【００３５】
このような圧縮コイルバネ４５は、別途に図示してはいないが、充水筒４１の成形の際にインサート成形されて充水筒４１と一体的に構成されることも可能である。
【００３６】
第２逆止弁４６は、例えば充水筒４１の上端を閉鎖するヘッド４７に弁孔４７ａを設け、この弁孔４７ａには水よりは小さくて空気よりは大きい比重を持つ弁球４８とグリル状の球受け４９を設置することにより構成できる。
【００３７】
このような第２逆止弁４６は、充水筒４１の内部空気が、流入する凝縮水Ｗに押し出されて外部に抜け出るように誘導することにより、凝縮水Ｗが充水空間４１ａに容易に流入できるようにする。
【００３８】
スライド牽引手段５０は、浮具３０の組立孔３１に一定の角度の間隔で位置して軸方向に設けられる複数の案内溝５１と、各案内溝５１に移動可能に挿入される案内突起５２を上端に有し、ベース４２に設置されるサポーター５３とからなる。
【００３９】
案内溝５１の下端は閉鎖され、案内突起５２の案内溝５１からの離脱を防止する。サポーター５３は、各案内溝５１に対応するように個別的に案内突起５２を有し、充水筒４１の周りに位置する。ここで、別途に図示してはいないが、サポーター５３は、外周に複数の案内突起５２を有し、充水筒を内部に収容するシリンダ状に構成されてもよい。
【００４０】
また、スライド牽引手段５０は、浮具３０の組立孔３１の下端に設けられる環状の係止リム５４と、係止リムに対応するフランジを上端の外周に有するシリンダとから構成されてもよい。
【００４１】
プッシュロッド６０は、集水タンク１０の開口を覆う蓋１１の中央に上端が固定され、垂直下方に長く延長される。プッシュロッド６０の下端には、浮具３０に沿って上昇する加圧充水器４０の充水筒４１の上端を安定的に押圧し得るように広い断面積を有するストッパー６１が備えられてもよい。
【００４２】
次に、このように構成された本発明に係る凝縮水自動排水装置の第１実施例の作動を図８〜図１１を参照して説明する。
【００４３】
まず、図８は例えばエアコンが動作しない状態であって、この際には集水タンク１０内に凝縮水がないか或いは底部に微量のみ存在し、集水タンク１０の内部はほぼ空いている。よって、浮具３０と加圧充水器４０は、互いに結合した状態で集水タンク１０の底部に置かれており、サイフォン管２０の内部も空いている。
【００４４】
この状態で、エアコンが作動すると、蒸発器の表面に発生した凝縮水Ｗが、エアコンのドレーンパン（図示せず）に設置された凝縮水排水溝Ｐを介して集水タンク１０内に流入し続ける。
【００４５】
次いで、図９に示すように、凝縮水Ｗが集水タンク１０内に一定の水位以上充填されて浮力が浮具３０の自重より大きくなると、浮具３０が凝縮水Ｗの浮力によって垂直ガイド３２に沿って浮き上がる。この際、加圧充水器４０は水より比重が大きいため浮き上がらず、依然として集水タンク１０の底部に置かれている。
【００４６】
一方、エアコンから凝縮水Ｗが集水タンク１０内に流入すると、凝縮水Ｗの一部が加圧充水器４０のベース４２の流路４３を介して充水筒４１内に流入すると同時に、サイフォン管２０の入口２１側にも集水タンク１０と同一のレベルで凝縮水Ｗが充填される。
【００４７】
すなわち、初期に加圧充水器４０の充水筒４１とサイフォン管２０は空いており、充水筒４１の下端に付着したベース４２の流路４３の入口４３ａとサイフォン管２０の入口２１には、それぞれ凝縮水Ｗの流入方向に開放される第１および第３逆止弁４４、２３が設置されているので（図４および図７）、集水タンク１０に流入した凝縮水Ｗがその水圧によって第１および第３逆止弁４４、２３を開放させながら充水筒４１内の充水空間４１ａとサイフォン管２０に流入する。
【００４８】
この際、充水筒４１の上端のヘッドには、空気の出入りを許容する第２逆止弁４６が設置されているので（図５および図６）、凝縮水Ｗは何の抵抗もなく充水筒４１の充水空間４１ａに完全に充填される。
【００４９】
次に、集水タンク１０内の凝縮水Ｗの水位が次第に高くなって浮具３０の下端が加圧充水器４０の上端に達すると、浮具３０の組立孔３１に設けられた案内溝５１の下端の係止リム５４が、加圧充水器４０に備えられたサポーター５３の上端の案内突起５２に係止されて加圧充水器４０に対する浮具３０のみの相対的な移動が阻止される。この状態で、加圧充水器４０が、流入し続ける凝縮水Ｗによって、浮き上がる浮具３０に吊り下げられたままでそれと共に浮き上がる。
【００５０】
その後、浮具３０が、流入する凝縮水Ｗによってさらに上昇すると、図１０に示すように、加圧充水器４０の充水筒４１の上端、すなわちヘッド４７が、充水タンク１０の蓋１１の中央に下方に延長されているプッシュロッド６０に接触することにより、加圧充水器４０の上昇が制限される。
【００５１】
ところが、浮具３０は凝縮水Ｗの流入によって継続的に浮き上がる。加圧充水器４０のベース４２は、それに固定されたサポーター５３の案内突起５２が浮具３０の係止リム５４に係止されているため、浮具３０に引かれて継続的に上昇しようとする方向に引力を受ける。
【００５２】
これにより、充水筒４１が浮具３０の上昇によって次第に圧縮されてその充水空間４１ａの体積が減少することにより、内部に充填された凝縮水Ｗを加圧する。すると、充水空間４１ａの圧力が増加して第１〜第３逆止弁４４、４６、２３が閉鎖される。すなわち、第１逆止弁４４の弁球４４ａは図４に示すように入口４３ａを閉鎖し、第２逆止弁４６の弁球４８は図５に示すようにヘッド４７の開口を閉鎖し、第３逆止弁２３の弁球は図７に示すようにサイフォン管２０の下部開口を閉鎖する。これと同時に、充水空間４１ａ内の凝縮水Ｗがベース４２の出口４３ｂを介してサイフォン管２０に流入してサイフォン管２０を充填する。
【００５３】
このようにサイフォン管２０が凝縮水Ｗで充填された後、その出口４３ｂから下水溝（図示せず）などへの凝縮水の排出が開始すると、サイフォン作用が開始する。すると、サイフォン管２０の圧力が集水タンク１０内の圧力より小さいため、第１および第３逆止弁４４、２３が開放される。すなわち、第１逆止弁４４の弁球４４ａは球支持ピン４４ｂに移動し（図４）、第３逆止弁２３の弁球はサイフォン管２０の下部開口から上方に移動する（図７）。よって、集水タンク１０内の凝縮水Ｗが無動力、無騒音で外部へ自動排水され続ける。
【００５４】
この際、サイフォン作用によって集水タンク１０内の凝縮水Ｗが排出される中にも、凝縮水Ｗは蒸発器から集水タンク１０に流入し続けるが、流入量より排出量が相対的に多いため、集水タンク１０の水位は次第に低くなる。
【００５５】
したがって、サイフォン作用が開始した後には、図１１に示すように、低くなる水位に従って浮具３０がさらに下降し、充水筒４１は内部に備えられた圧縮コイルバネ４５の復元弾性によって初期状態に次第に膨張する。
【００５６】
その後、加圧充水器４０が、低くなる水位に従って集水タンク１０の底部に着くと、浮具３０が加圧充水器４０に対して相対移動しながら下降することにより、図８に示すように加圧充水器４０をその組立孔３１に挿入させる。
【００５７】
このように集水タンク１０内の凝縮水Ｗが大部分排水されて浮具３０と加圧充水器４０がその底部に着くと、サイフォン管２０内に空気が流入してサイフォン作用が止まることにより排水が中断される。これにより、サイフォン管２０の内部は再び空いていることになる。
【００５８】
この状態で一定の時間が経過し、集水タンク１０に流入した凝縮水の水位が一定のレベル以上上昇すると、前述したようにさらに浮具３０が凝縮水Ｗの浮力によって浮き上がることによりサイフォン作用を再起動させ、これによりエアコンが作動する間にこのような動作を繰り返し行うことにより、凝縮水Ｗを完全に無動力と無騒音で自動排出させることができる。
【００５９】
図１２および図１３は本発明に係る自動排水装置の第２実施例を示す。この実施例は、前述した第１実施例の構成において、加圧充水器７０が、内部に一定量の凝縮水Ｗが流入できる充水空間７１ａを有する伸縮可能な柔軟な充水筒７１と、入口７３ａに逆止弁７４を有する流路７３を有し、充水筒７１の下端に固定されるベース７２と、プッシュロッド６０の下部で浮具３０の昇降に沿って充水筒７１を伸縮させる伸縮手段７５とから構成される。
【００６０】
充水筒７１は、小さい外力にも変形し易い様々な形で構成できるが、好ましくは充水空間７１ａの良好な体積変化のために柔軟な合成樹脂製ベローズ管から構成できる。
【００６１】
このような充水筒７１は、その上端にはプッシュロッド６０による円滑な圧縮のために硬質のヘッド７６を備え、このヘッド７６によって上端が閉鎖される。
【００６２】
ベース７２は、充水筒７１の充水空間７１ａに凝縮水Ｗが充填できるように水より大きい比重を持つ。ベース７２の流路７３は、充水筒７１に凝縮水Ｗが流入できるようにその充水空間７１ａと連通する。流路７３の入口７３ａには充水空間７１ａに凝縮水Ｗの流入のみを許容する逆止弁７４が備えられ、流路７３の出口７３ｂは連結管２４によってサイフォン管２０の入口２１側と連結される。
【００６３】
逆止弁７４は、例えば流路７３の一部を拡張した後、これに弁球７４ａと複数の球支持ピン７４ｂを設置して構成することができる。
【００６４】
伸縮手段７５は、充水筒７１の内部に結合して柔軟な充水筒７１を膨張状態に維持させる圧縮コイルバネ７７と、浮具３０の組立孔３１の中間から突出して充水筒７１のヘッド７６の上面縁部に接触する押圧突起７８とからなる。
【００６５】
圧縮コイルバネ７７は、浮具３０の自重によって充水筒７１がつぶれるように浮具３０の自重より小さい弾性を有し、または、浮き上がる浮具３０によってつぶれるように浮具３０に作用する凝縮水Ｗの浮力より小さい弾性を有する。このような圧縮コイルバネ７７も充水筒７１の成形の際に一体にインサート成形できるのは勿論である。
【００６６】
押圧突起７８は、例えば浮具３０の組立孔３１に一定の角度の間隔で配置される４個からなり、スライド牽引手段５０の作動に干渉しないようにその案内溝５１およびサポーター５３と交互に位置する。
【００６７】
ここで、別途に図示してはいないが、押圧突起を浮具３０の組立孔３１の全周にわたって環状に設けることもできるのは勿論である。この場合、スライド牽引手段５０の各サポーター５３が通過することが可能な溝を押圧突起７８に設けることにより、スライド牽引手段５０の干渉を回避することができる。
【００６８】
次に、このように構成された本発明の凝縮水自動排水装置の第２実施例の作用を図１４〜図１７を参照して説明する。
【００６９】
まず、図１４はエアコンなどが動作しないため集水タンク１０が空いている状態であって、この際には加圧充水器７０の充水筒７１が浮具３０の自重によって押圧されて浮具３０の組立孔３１に圧縮状態で挿入されて浮具３０と共に集水タンク１０の底部に置かれており、サイフォン管２０の内部も空いている。
【００７０】
この状態でエアコンなどが作動すると、蒸発器の表面に発生した凝縮水Ｗが、エアコンのドレーンパン（図示せず）に設置された凝縮水排水溝Ｐを介して集水タンク１０内に流入し続ける。
【００７１】
これにより集水タンク１０内に凝縮水Ｗが一定の水位以上充填されて浮力が浮具３０の自重より大きくなると、図１５に示すように、浮具３０が垂直ガイド３２に沿って浮き上がる。この際、加圧充水器７０は、水より比重が大きいため浮き上がらず、依然として集水タンク１０の底部に置かれており、但し、浮具３０の上昇によって充水筒７１の拘束が解除されることにより、圧縮コイルバネ７７の復元弾性によって、圧縮されていた充水筒７１のみが広げられる。
【００７２】
一方、集水タンク１０内に流入した凝縮水Ｗの一部は、加圧充水器７０のベース７２の流路７３に備えられた逆止弁７４を開放させながら充水筒４１内に流入し、これによりサイフォン管２０にも集水タンク１０と同一のレベルで凝縮水Ｗが充填される。
【００７３】
この際、充水筒７１の充水空間７１ａの上部には、圧縮状態の充水筒７１内に存在した空気によって凝縮水Ｗで完全に充填されずに若干の空間が存在するが、これはサイフォン管２０の体積を考慮した充水筒７１の容量設計によって簡単に解決できるもので、本発明の作用効果にはあまり影響を及ぼさない。
【００７４】
次に、集水タンク１０内の凝縮水Ｗの水位が次第に高くなって浮具３０の下端が加圧充水器７０の上端に達すると、浮具３０の組立孔３１に設けられた案内溝５１の下端の係止リム５４が、加圧充水器７０に備えられたサポーター５３の上端の案内突起５２に係止され、これにより、加圧充水器７０が、流入し続ける凝縮水Ｗによって、浮き上がる浮具３０に吊り下げられたままでそれと共に浮き上がる。
【００７５】
その後、浮具３０が、流入する凝縮水Ｗによってさらに上昇すると、図１６に示すように、加圧充水器７０の充水筒７１の上端のヘッド７６が集水タンク１０の蓋１１から下方に延長されたプッシュロッド６０と接触することにより、充水筒７１の上昇が制限される。ところが、加圧充水器７０のベース７２は、それに固定されたサポーター５３の案内突起５２が浮具３０の係止リム５４に係止されているため、浮具３０に引かれて上昇し続け、これにより充水筒７１が浮具３０の上昇によって次第に圧縮されてその充水空間７１ａの体積が減少することにより、内部に充填された凝縮水Ｗを加圧する。
【００７６】
すると、充水空間７１ａの圧力が増加して逆止弁７４が閉鎖されると同時に、充水空間７１ａの凝縮水Ｗがベース７２の出口７３ｂを介してサイフォン管２０に流入してサイフォン管２０を完全に充填する。
【００７７】
これによりサイフォン作用が開始すると、サイフォン管２０の圧力が集水タンク１０内の圧力より小さいため、ベース７２の流路７３を閉鎖していた逆止弁７４が開かれ、集水タンク１０内の凝縮水Ｗが無動力、無騒音で外部へ自動排水され続ける。
【００７８】
サイフォン作用によって集水タンク１０内の凝縮水Ｗが排出されて集水タンク１０の水位が次第に低くなると、図１７に示すように、低くなる水位に従って浮具３０がさらに下降し、すると、プッシュロッド６０に係止されて圧縮された充水筒７１は内部に備えられた圧縮コイルバネ７７の復元弾性によって初期状態に次第に膨張する。
【００７９】
その後、加圧充水器７０が低くなる水位に従って集水タンク１０の底部に着くと、浮具３０が加圧充水器７０に対して相対移動しながら下降し、これにより浮具３０の組立孔３１の中間に備えられた押圧突起７８が充水筒７１の上端を押圧することにより、加圧充水器７０はさらに図１４に示すように圧縮された状態で浮具３０の組立孔３１に挿入される。
【００８０】
このように集水タンク１０内の凝縮水Ｗが大部分排水されて浮具３０と加圧充水器７０がその底部に着くと、サイフォン管２０内に空気が流入してサイフォン作用が止まることにより排水が中断され、これによりサイフォン管２０の内部は再び空いていることになる。
【００８１】
この状態で一定の時間が経過し、集水タンク１０に流入した凝縮水の水位が一定のレベル以上上昇すると、前述したようにさらに浮具３０が凝縮水Ｗの浮力によって浮き上がることによりサイフォン作用を再起動させて凝縮水Ｗを自動排出させる。
【００８２】
図１８は本発明に係る自動排水装置の第２実施例の変形例を示す。これは、第２実施例の構成において、前述した第１実施例と同様に、加圧充水器７０の充水筒７１のヘッド７６に空気の出入りは許容しながら水の排出は遮断する第２逆止弁７９がさらに備えられた構成である。
【００８３】
このような構成の変形例の場合、集水タンク１０内の凝縮水Ｗが充水筒７１に流入することにより、充水筒７１の空気が第２逆止弁７９を介して排気されるので、充水空間７１ａの上部に空気層なしで凝縮水Ｗが完全に充填され、これにより充水筒７１をその分だけ小さく設計することができる。
【００８４】
一方、このような第２実施例およびその変形例の構成において、圧縮コイルバネ７７を除去しても、本発明の作動には別の問題が発生しない。
【００８５】
すなわち、充水筒７１が十分柔軟で水より小さい比重を持つならば、集水タンク１０内に凝縮水Ｗがない場合、浮具３０の押圧突起７８によってつぶれていた充水筒７１が凝縮水Ｗの流入により浮き上がる浮具３０によって拘束が解除されることにより、浮力によって広げられる。よって、強いて充水筒７１を膨張させるための圧縮コイルバネ７７を備えなくても、加圧充水器７０の本然の機能を発揮することができる。
【００８６】
但し、柔軟な充水筒７１のより円滑で安定な伸縮を確保するために、圧縮コイルバネ７７を共に備えることがより好ましい。
【００８７】
図１９〜図２１は、本発明に係る自動排水装置の第３実施例を示す。この実施例は、一部の構成要素以外は前述した第２実施例の構成を大部分含むので、便宜上、同一の構成要素に対して同一の部材番号を付して重複説明は避ける。
【００８８】
この実施例は、前述した第２実施例の構成において、加圧充水器７０の伸縮手段８０が、外周に係止溝８１ａを有し、充水筒７１の上端に付着するヘッド８１と、浮具３０の組立孔３１の中間から一定の角度の間隔で突出して浮具３０の昇降に応じてヘッド８１の係止溝８１ａに弾性的に結合および解除される複数のバネホルダー８２とからなる。
【００８９】
ヘッド８１の係止溝８１ａは、各バネホルダー８２に対応するように複数個が一定の角度の間隔で設けられてもよく、ヘッド８１の外周全体にわたって設けられてもよい。
【００９０】
バネホルダー８２は、様々な形で構成できるが、例えば、図２０に示すように、略Ｖ字状を有し、一端（上端）のみが支持片８３を介して浮具３０の組立孔３１に固定されることにより、その折曲部８２ａが充水筒７１の昇降に応じてヘッド８１の係止溝８１ａに弾性的に挿入または解除される。このため、バネホルダー８２は浮具３０に作用する凝縮水Ｗの浮力および浮具３０の自重より小さい弾性を有する。
【００９１】
このようなバネホルダー８２も、スライド牽引手段５０の作動に干渉しないように、その案内溝５１およびサポーター５３と交互に配置されることが好ましい。
【００９２】
より好ましくは、前述した第２実施例の変形例（図１８参照）と同様に、充水筒７１のヘッド８１に、空気の出入りは許容しながら凝縮水Ｗの外部流出は防止する第２逆止弁８４がさらに備えられることにより、充水筒７１の充水空間７１ａ内に凝縮水Ｗが充填されるようにすることができる。
【００９３】
次に、凝縮水自動排水装置の第３実施例の作用を図２２〜図２５を参照して説明する。
【００９４】
まず、図２２はエアコンが動作しないため集水タンク１０が空いている状態であって、浮具３０の組立孔３１に設置されたバネホルダー８２が充水筒７１のヘッド８１の係止溝８１ａに弾性的に結合した状態で、充水筒７１が浮具３０の自重に押圧されてその組立孔３１に圧縮された状態で挿入されて浮具３０と共に集水タンク１０の底部に置かれており、サイフォン管２０の内部も空いている。
【００９５】
この状態でエアコンが稼動されて凝縮水Ｗが集水タンク１０内に流入し続けると、一定の水位以上で凝縮水Ｗの浮力が浮具３０の自重より大きくなり、これにより図２３に示すように浮具３０が垂直ガイド３２に沿って浮き上がる。
【００９６】
この際、加圧充水器７０は、水より比重が大きいため浮き上がらず、集水タンク１０の底部にそのまま置かれているが、浮具３０に設置されたバネホルダー８２が充水筒７１のヘッド８１を把持した状態なので、充水筒７１は浮具３０の浮き上がりに応じて次第に広げられる。
【００９７】
集水タンク１０内に流入した凝縮水Ｗの一部は、加圧充水器７０のベース７２の流路７３に備えられた逆止弁７４を開放させながら充水筒７１内に流入し、これと同時にサイフォン管２０の入口２１の第３逆止弁２３を開放させながら流入する。これにより、サイフォン管２０にも集水タンク１０と同一のレベルで凝縮水Ｗが充填される。
【００９８】
この際、充水筒７１のヘッド８１に第２逆止弁８４が備えられていない場合には、充水空間７１ａの上部に、圧縮状態の充水筒７１内の空気によって若干の空気層が形成されるが、ヘッド８１に第２逆止弁８４が備えられている場合には、充水空間７１ａ内の空気が全て排気されるので、充水空間７１ａが凝縮水Ｗで完全に充填される。
【００９９】
次に、集水タンク１０内の凝縮水Ｗの水位が次第に高くなって浮具３０の下端が加圧充水器７０の上端に達すると、浮具３０の組立孔３１に設けられた案内溝５１の下端の係止リム５４が、加圧充水器７０に備えられたサポーター５３の上端の案内突起５２に係止され、これにより、加圧充水器７０が、流入し続ける凝縮水Ｗによって、浮き上がる浮具３０に吊り下げられたままでそれと共に浮き上がる。
【０１００】
その後、浮具３０が流入する凝縮水Ｗによってさらに上昇すると、図２４に示すように、加圧充水器７０の充水筒７１の上端のヘッド８１が集水タンク１０の蓋１１から下方に延長されたプッシュロッド６０に接触することにより、充水筒７１の上昇が制限され、これにより浮具３０の組立孔３１に設置されたバネホルダー８２が浮力によって充水筒７１のヘッド８１の係止溝８１ａから離脱する。
【０１０１】
ところが、加圧充水器７０のベース７２は、それに固定されたサポーター５３の案内突起５２が浮具３０の係止リム５４に係止されているため、浮具３０に引かれて上昇し続け、よって充水筒７１が浮具３０の上昇によって次第に圧縮されてその充水空間７１ａの体積が減少することにより、内部に充填された凝縮水Ｗを加圧する。
【０１０２】
すると、充水空間７１ａの圧力が増加して逆止弁７４と第３逆止弁２３、または逆止弁７４と第２および第３逆止弁８４、２３が閉鎖されると同時に、充水空間７１ａの凝縮水Ｗがベース７２の出口７３ｂを介してサイフォン管２０に流入してサイフォン管２０を充填する。
【０１０３】
これによりサイフォン作用が開始すると、ベース７２の流路７３を閉鎖していた逆止弁７４が開かれ、集水タンク１０内の凝縮水Ｗが無動力、無騒音で外部に自動排水され続ける。
【０１０４】
サイフォン作用によって集水タンク１０内の凝縮水Ｗが排出されて集水タンク１０の水位が次第に低くなると、図２５に示すように、低くなる水位に従って浮具３０と加圧充水器７０がさらに下降する。
【０１０５】
その後、加圧充水器７０が集水タンク１０の底部に着くと、浮具３０が加圧充水器７０に対して相対移動しながら下降し、これにより浮具３０の組立孔３１の中間に備えられたバネホルダー８２が充水筒７１を軽く押圧した後、図２２に示すように、充水筒７１が完全に縮小されて浮具３０の組立孔３１に挿入されると、さらにバネホルダー８２が充水筒７１のヘッド８１の係止溝８１ａに弾性的に挿入される。
【０１０６】
このように集水タンク１０内の凝縮水Ｗが大部分排水されて浮具３０と加圧充水器７０がその底部に着くと、サイフォン管２０内に空気が流入してサイフォン作用が止まり、さらに一定の時間が経過して、集水タンク１０に流入した凝縮水Ｗの水位が一定のレベル以上上昇すると、前述したようにさらに浮具３０が凝縮水Ｗの浮力によって浮き上がることによりサイフォン作用を再起動させて凝縮水Ｗを自動排出させる。
【０１０７】
図２６〜図２８は本発明に係る自動排水装置の第４実施例を示す。
【０１０８】
この実施例は、前述した第１実施例の構成において、加圧充水器９０が、サイフォン管２０の入口２１側に連結管２４を介して互いに連通するように連結されるシリンダ９１と、このシリンダ９１内に結合して昇降するピストン９２と、このピストン９２に固定されて上方に延長され、上端にフランジ８６を有するピストンロッド９３とからなり、浮具３０の組立孔３１の上端には浮具３０の昇降に応じてピストンロッド９３のフランジ９６を弾性的に把持および解除する複数のバネホルダー９８を備えた構成である。
【０１０９】
シリンダ９１の下端部の外周には、凝縮水Ｗの流入のみを許容する第１逆止弁９４が備えられ、ピストン９２には、空気の流通を許容しながら凝縮水Ｗの流出は遮蔽する第２逆止弁９５が備えられる。
【０１１０】
これにより、第４実施例では、図２７に示すように、浮具３０の組立孔３１の案内溝５１に結合するスライド牽引手段５０の案内突起５２はシリンダ９１の上端の外周に一定の角度の間隔で備えられる。
【０１１１】
バネホルダー９８は、例えば４つが備えられ、浮具３０に対するシリンダ９１の相対移動に干渉しないように浮具３０の組立孔３１の上端に支持片９９を介して固定され、スライド牽引手段５０の案内溝５１および案内突起５２と交互に配置される。
【０１１２】
このようなバネホルダー９８は様々な形で構成できるが、例えば前述した第３実施例と同様に略Ｖ字状に折り曲げられてその折曲部９８ａがピストンロッド９３のフランジ９６の下部を弾性的に把持または解除する。
【０１１３】
次に、本発明に係る凝縮水自動排水装置の第４実施例の作動を図２９〜図３２を参照して説明する。
【０１１４】
まず、図２９はエアコンが動作しないため集水タンク１０が空いている状態であって、ピストン９２がシリンダ９１の最下部に位置してシリンダ９１が浮具３０の組立孔３１に挿入された状態で浮具３０と共に集水タンク１０の底部に置かれており、浮具３０の組立孔３１に設置されたバネホルダー９８がピストンロッド９３の上端のフランジ９６を弾性的に把持した状態である。
【０１１５】
この状態でエアコンが稼動されて凝縮水Ｗが集水タンク１０内に流入し続けると、一定の水位以上で凝縮水Ｗの浮力が浮具３０の自重より大きくなり、これにより図３０に示すように浮具３０が垂直ガイド３２に沿って浮き上がる。
【０１１６】
この際、加圧充水器９０は、水より比重が大きいため浮き上がらず、集水タンク１０の底部にそのまま置かれているが、浮具３０に設置されたバネホルダー９８がピストンロッド９３のフランジ９６を把持した状態なので、ピストン９２は浮具３０の浮き上がりに従ってシリンダ９１の上側に移動する。これと同時に、集水タンク１０内に流入した凝縮水Ｗの一部は、シリンダ９１の下端部に備えられた第１逆止弁９４と、サイフォン管２０の入口２１に備えられた第３逆止弁２３を開放させることにより、シリンダ９１内のピストン下部領域（以下、「充水空間」という）９１ａとサイフォン管２０に集水タンク１０と同一のレベルで凝縮水Ｗが充填される。
【０１１７】
この際、シリンダ９１の充水空間９１ａに存在した空気は、ピストン９２に備えられた第２逆止弁９５を介して排気されるので、シリンダ９１の内部が凝縮水Ｗに完全に充填される。
【０１１８】
次に、集水タンク１０内の凝縮水Ｗの水位が次第に高くなって浮具３０の下端がシリンダ９１の上端に達すると、浮具３０の組立孔３１に設けられた案内溝５１の下端の係止リム５４が、シリンダ９１の外周に備えられた案内突起５２に係止される。これにより、加圧充水器９０が、流入し続ける凝縮水Ｗによって、浮き上がる浮具３０に吊り下げられたままでそれと共に浮き上がる。
【０１１９】
その後、流入する凝縮水Ｗによって浮具３０がさらに上昇すると、図３１に示すように、ピストンロッド９３の上端のフランジ９６が集水タンク１０の蓋１１から下方に延長されたプッシュロッド６０と接触して上昇が制限され、これにより浮具３０の組立孔３１に設置されたバネホルダー９８が浮力によって弾性変形してピストンロッド９３のフランジ９６から離脱する。
【０１２０】
ところが、シリンダ９１は、その案内突起５２が浮具３０の係止リム５４に係止されているため、浮具３０に引かれて上昇し続ける。したがって、停止したピストン９２によって、シリンダ９１が充水空間９１ａの減少に伴ってそれに充填された凝縮水Ｗを加圧する。
【０１２１】
すると、充水空間９１ａの圧力が増加して第１〜第３逆止弁９４、９５、２３が閉鎖されると同時に、充水空間９１ａの凝縮水Ｗがサイフォン管２０に流入してサイフォン管２０を充填する。
【０１２２】
これによりサイフォン作用が開始して第１および第３逆止弁９４、２３が開かれることにより、集水タンク１０内の凝縮水Ｗが無動力、無騒音で外部へ自動排水され続ける。
サイフォン作用によって集水タンク１０内の凝縮水Ｗが排出されて集水タンク１０の水位が次第に低くなると、図３２に示すように、低くなる水位に従って浮具３０と加圧充水器９０は下降する。
【０１２３】
その後、加圧充水器９０が集水タンク１０の底部に着くと、浮具３０が加圧充水器９０に対して相対移動しながら下降してシリンダ９１をその組立孔３１に挿入し、これにより浮具３０の組立孔３１に備えられたバネホルダー９８がピストンロッド９３をさらに弾性的に把持しながら押圧することにより、ピストン９２がシリンダ９１の下部に移動して初期状態になる。
【０１２４】
このように集水タンク１０内の凝縮水Ｗが大部分排水されて浮具３０と加圧充水器９０がその底部に着くと、サイフォン管２０内に空気が流入してサイフォン作用が止まり、さらに一定の時間が経過して、集水タンク１０に流入した凝縮水Ｗの水位が一定のレベル以上上昇すると、前述したように浮具３０が再び凝縮水Ｗの浮力によって浮き上がることによりサイフォン作用を再起動させて凝縮水Ｗを自動排出させる。
【０１２５】
図３３および図３４は本発明に係る自動排水装置の第５実施例を示す。この実施例は、前述した第１実施例の構成において、加圧充水器１１０が、内部に充水空間１１１ａを有し、集水タンク１０の底部に水平に設置され、伸長方向に弾性復元性を有する柔軟な充水筒１１１と、この充水筒１１１の一端に設置され、集水タンク１０の底部に固定されるベース１１２と、充水筒１１１が浮具３０の上昇によって圧縮できるように充水筒１１１の自由端（他端）と浮具３０を所定の経路に沿って連結するワイヤー１１７とからなる構成である。
【０１２６】
充水筒１１１は、好ましくはベローズ管から構成される。このような充水筒１１１は、自体的に伸長方向に弾性復元性を持つように構成されてもよいが、より安定な伸縮を保障し得るように、内部に圧縮コイルバネ１１５を持つことが好ましい。そして、充水筒１１１の自由端にも円滑な伸縮のために硬質のヘッド１１６が備えられることがよい。
【０１２７】
ベース１１２は、充水空間１１１ａに連通する流路１１３を有し、流路１１３の入口には凝縮水の流入のみを許容する逆止弁１１４が設置され、流路１１３の出口にはサイフォン管２０の入口２１が連結される。
【０１２８】
ワイヤー１１７は、垂直に昇降する浮具３０によって加圧充水器１１０が水平に伸縮できるように浮具３０の中央部の下側にガイドプーリ１１８を備え、浮具３０の下面の中央に連結される略Ｌ字状の移動経路を有する。
【０１２９】
このような構成の実施例は、凝縮水が集水タンク１０内に流入して浮具３０が上昇すると、ワイヤー１１７が引っ張られながら充水筒１１１を圧縮して凝縮水をサイフォン管２０に充填し、これによりサイフォン作用によって集水タンク１０内の凝縮水が排水されて浮具３０が下降すると、圧縮コイルバネ１１５の復元弾性によって初期状態に伸張される。
【０１３０】
したがって、前述した実施例と同様の作用効果を有しながらも、相対的に簡単に構成することができるという利点を持つ。
【０１３１】
図３５および図３６は本発明に係る自動排水装置の第６実施例を示す。この実施例は、前述した第１実施例の構成において、加圧充水器１２０が内部に充水空間１２１ａを有し、集水タンク１０の底部に水平に設置されるシリンダ１２１と、このシリンダ１２１内に結合して充水空間１２１ａの拡張方向に弾性復元性を有するピストン１２２と、充水空間１２１ａが浮具３０の上昇によって圧縮できるようにピストン１２２と浮具３０を所定の経路に沿って連結するワイヤー１２８とからなる構成である。
【０１３２】
シリンダ１２１の一端の外周には、凝縮水Ｗの流入のみを許容する逆止弁１２３が備えられる。シリンダ１２１の内周の中間部位とピストンロッド１２５の自由端にはフランジ１２４、１２６がそれぞれ備えられ、これらの２フランジ１２４、１２６の間には充水空間１２１ａの拡張方向にピストン１２２を弾性復元させる圧縮コイルバネ１２７が介在される。
【０１３３】
好ましくは、シリンダ１２１の他端部の周面には互いに対向するように一対のガイドスリット１２１ｂ（図面には一方のみが示される）が軸方向に適正の長さで設けられ、ピストンロッド１２５のフランジ１２６の外周にはシリンダ１２１のガイドスリット１２１ｂにそれぞれ移動可能に挿入される案内ピン１２６ａが備えられる。
【０１３４】
ワイヤー１２８は、垂直に昇降する浮具３０によって加圧充水器１２０が水平に伸縮できるように浮具３０の中央部の下側にガイドプーリ１２９を備え、浮具３０の下面の中央に連結される略Ｌ字状の移動経路を有する。
【０１３５】
このようなワイヤー１２８は、ピストン１２２に直接連結されてもよいが、図示したように、ピストンロッド１２５のフランジ１２６に備えられた２つの案内ピン１２６ａに連結されることが好ましい。
【０１３６】
未説明の符号１２１ｃは、シリンダ１２１の他端を遮蔽する栓である。
【０１３７】
このような構成の実施例は、凝縮水が集水タンク１０内に流入して浮具３０が上昇すると、ワイヤー１２８が引っ張れながらピストン１２２が充水空間１２１ａの圧縮方向に移動して凝縮水をサイフォン管２０に充填され、これによりサイフォン作用によって集水タンク１０内の凝縮水が排水されて浮具３０が下降すると、圧縮コイルバネ１２７の復元弾性によってピストン１２２が初期状態（充水空間の拡張方向）に移動する。
【０１３８】
したがって、前述した実施例と同様の作用効果を有しながらも、第５実施例の如く相対的に簡単に構成することができるという利点を持つ。
【０１３９】
図３７および図３８は本発明に係る自動排水装置の第７実施例を示す。この実施例は、前述した第３実施例の構成において、サイフォン管２０のサイフォン作用が凝縮水Ｗの排水によって消滅することを防止するサイフォン作用維持器１００がさらに備えられた構成である。
【０１４０】
このために、サイフォン管２０は、入口２１は集水タンク１０に収容され、出口２２ａはサイフォン作用維持器１００の上部から一定の深さで挿入される逆Ｕ字状の第１サイフォン２０ａと、入口２１ａが第１サイフォン２０ａの出口２２ａより高いレベルに位置するようにサイフォン作用維持器１００の下部から挿入され、出口２２は第１サイフォン２０ａの入口２１より低いレベルに位置する第２サイフォン２０ｂとから構成される。
【０１４１】
サイフォン作用維持器１００は、中空の筒からなり、内部に大気圧が作用するように上面に通気孔１０１を有する。このようなサイフォン作用維持器１００に第１サイフォン２０ａの出口２２ａと第２サイフォン２０ｂの入口２１ａとが重なり合うように十分長く挿入しても構わないが、サイフォン作用維持器１００の内部に、先端が互いに反対方向に向かって重なる流入および流出案内管１０２、１０３を一体に構成することにより、これらの案内管に第１および第２サイフォン２０ａ、２０ｂをそれぞれ結合させることが好ましい。
【０１４２】
このようなサイフォン作用維持器１００は、室内（またはエアコンなどの内部）に位置した集水タンク１０と同じレベルに位置する。
【０１４３】
このような構成の第７実施例は、サイフォン作用の開始後、集水タンク１０内の凝縮水Ｗの水位が第２サイフォン２０ｂの入口２１ａ、すなわちサイフォン作用維持器１００の流出案内管１０３の先端と同じレベルまで排出されると、サイフォン作用維持器１００の上面に設けられた通気孔１０１によってサイフォン作用維持器１００内の水面に大気圧が作用してそれ以上排水されないながら、第１サイフォン２０ａの内部には凝縮水Ｗが充填された状態にある。
【０１４４】
したがって、排水が中断されても、サイフォン作用は消滅されずに暫定中止状態を維持し、以後、集水タンク１０内の水位が上がると、加圧充水器７０による充填によらなくても、自動にサイフォン作用が再稼動されて排水が行われる。
【０１４５】
よって、エアコンなどを最初に稼動するとき、１回のみ加圧充水器７０が作動し、以後には凝縮水Ｗの流入によって自動にサイフォン作用が起って凝縮水Ｗを排水することができる。
【産業上の利用可能性】
【０１４６】
本発明の凝縮水自動排水装置によれば、従来の技術のように別途の充水ポンプと水位センサーを備えることなく、集水タンクの凝縮水をその浮力によってポンピングしてサイフォン管に充填することができるため、凝縮水を完全に無動力、無騒音で排出させることができる。
【０１４７】
したがって、本発明は、作動の際に凝縮水が発生する機器（例えば、エアコンまたは除湿器）の信頼性、静粛性および使用の便宜性の向上などに大きく寄与する非常に優れた効果がある。
【図面の簡単な説明】
【０１４８】
【図１】本発明の第１実施例に係る凝縮水自動排水装置を示す分解斜視図である。
【図２】図１の断面図である。
【図３】加圧充水器を示す断面図である。
【図４】加圧充水器の第１逆止弁を示す拡大断面図である。
【図５】第２逆止弁の作動状態を示す拡大断面図である。
【図６】第２逆止弁の作動状態を示す拡大断面図である。
【図７】図２の第３逆止弁の拡大図である。
【図８】本発明の第１実施例に係る凝縮水自動排水装置の作動状態を示す断面図である。
【図９】本発明の第１実施例に係る凝縮水自動排水装置の作動状態を示す断面図である。
【図１０】本発明の第１実施例に係る凝縮水自動排水装置の作動状態を示す断面図である。
【図１１】本発明の第１実施例に係る凝縮水自動排水装置の作動状態を示す断面図である。
【図１２】本発明の第２実施例に係る凝縮水自動排水装置の断面図である。
【図１３】図１２のIＸ−IＸに沿った断面図である。
【図１４】本発明の第２実施例に係る凝縮水自動排水装置の作動状態を示す断面図である。
【図１５】本発明の第２実施例に係る凝縮水自動排水装置の作動状態を示す断面図である。
【図１６】本発明の第２実施例に係る凝縮水自動排水装置の作動状態を示す断面図である。
【図１７】本発明の第２実施例に係る凝縮水自動排水装置の作動状態を示す断面図である。
【図１８】本発明の第２実施例の変形例に係る凝縮水自動排水装置の断面図である。
【図１９】本発明の第３実施例に係る凝縮水自動排水装置の断面図である。
【図２０】図１９のＸIII−ＸIIIに沿った断面図である。
【図２１】図２０のＸIV−ＸIVに沿った断面図である。
【図２２】本発明の第３実施例に係る凝縮水自動排水装置の作動状態を示す、図２０のＸＶ−ＸＶに沿った断面図である。
【図２３】本発明の第３実施例に係る凝縮水自動排水装置の作動状態を示す、図２０のＸＶ−ＸＶに沿った断面図である。
【図２４】本発明の第３実施例に係る凝縮水自動排水装置の作動状態を示す、図２０のＸＶ−ＸＶに沿った断面図である。
【図２５】本発明の第３実施例に係る凝縮水自動排水装置の作動状態を示す、図２０のＸＶ−ＸＶに沿った断面図である。
【図２６】本発明の第４実施例に係る凝縮水自動排水装置の断面図である。
【図２７】図２６のＸVII−ＸVIIに沿った断面図である。
【図２８】図２７のＸVIII−ＸVIIIに沿った断面図である。
【図２９】本発明の第４実施例に係る凝縮水自動排水装置の作動状態を示す、図２７のＸIX−ＸIXに沿った断面図である。
【図３０】本発明の第４実施例に係る凝縮水自動排水装置の作動状態を示す、図２７のＸIX−ＸIXに沿った断面図である。
【図３１】本発明の第４実施例に係る凝縮水自動排水装置の作動状態を示す、図２７のＸIX−ＸIXに沿った断面図である。
【図３２】本発明の第４実施例に係る凝縮水自動排水装置の作動状態を示す、図２７のＸIX−ＸIXに沿った断面図である。
【図３３】本発明の第５実施例に係る凝縮水自動排水装置の加圧充水装置の伸長状態および圧縮状態を示す断面図である。
【図３４】本発明の第５実施例に係る凝縮水自動排水装置の加圧充水装置の伸長状態および圧縮状態を示す断面図である。
【図３５】本発明の第６実施例に係る凝縮水自動排水装置の充水空間の拡張状態および縮小状態を示す断面図である。
【図３６】本発明の第６実施例に係る凝縮水自動排水装置の充水空間の拡張状態および縮小状態を示す断面図である。
【図３７】本発明の第７実施例に係る凝縮水自動排水装置の断面図である。
【図３８】図３７のサイフォン作用維持器を示す断面図である。
【図３９】本発明の自動排水装置をエアコンに装着する例を示す断面図である。
【図４０】本発明の自動排水装置をエアコンに装着する例を示す断面図である。
【図４１】本発明の自動排水装置をエアコンに装着する例を示す断面図である。
【図１】
2009532653.tif 000003
【図２】
2009532653.tif 000004
【図３】
2009532653.tif 000005
【図４】
2009532653.tif 000006
【図５】
2009532653.tif 000007
【図６】
2009532653.tif 000008
【図７】
2009532653.tif 000009
【図８】
2009532653.tif 000010
【図９】
2009532653.tif 000011
【図１０】
2009532653.tif 000012
【図１１】
2009532653.tif 000013
【図１２】
2009532653.tif 000014
【図１３】
2009532653.tif 000015
【図１４】
2009532653.tif 000016
【図１５】
2009532653.tif 000017
【図１６】
2009532653.tif 000018
【図１７】
2009532653.tif 000019
【図１８】
2009532653.tif 000020
【図１９】
2009532653.tif 000021
【図２０】
2009532653.tif 000022
【図２１】
2009532653.tif 000023
【図２２】
2009532653.tif 000024
【図２３】
2009532653.tif 000025
【図２４】
2009532653.tif 000026
【図２５】
2009532653.tif 000027
【図２６】
2009532653.tif 000028
【図２７】
2009532653.tif 000029
【図２８】
2009532653.tif 000030
【図２９】
2009532653.tif 000031
【図３０】
2009532653.tif 000032
【図３１】
2009532653.tif 000033
【図３２】
2009532653.tif 000034
【図３３】
2009532653.tif 000035
【図３４】
2009532653.tif 000036
【図３５】
2009532653.tif 000037
【図３６】
2009532653.tif 000038
【図３７】
2009532653.tif 000039
【図３８】
2009532653.tif 000040
【図３９】
2009532653.tif 000041
【図４０】
2009532653.tif 000042
【図４１】
2009532653.tif 000043